(57)【要約】【課題】    本発明の目的は、茶葉の詰まりを防いで抽出し易い急須を提供するものである。【解決手段】    急須Ｋは、茶葉及び液体を受け入れ、外部へ液体を注ぐための注ぎ口１１を有する本体１と、注ぎ口１１を横断するように設けられた堰２と、この堰２の長手方向に沿って垂直方向に設けられた複数のスリット２１と、を備えているものである。【選択図】図１
2017006412.tif 000002
【特許請求の範囲】
【請求項１】
茶葉及び液体を受け入れ、外部へ液体を注ぐための注ぎ口を有する本体と、
前記注ぎ口を横断するように設けられた堰と、
この堰の長手方向に沿って垂直方向に設けられた複数のスリットと、
を備えていることを特徴とする急須。
【請求項２】
注ぎ口は、本体の底部より高い位置にあり、
堰の下部は、前記注ぎ口より低い位置まであり、
スリットの上端は、外部に連通するように開放され、
前記スリットの下端は、前記注ぎ口より低い位置まである
ことを特徴とする請求項１記載の急須。
【請求項３】
スリットの堰の背面から前面に至る寸法は前記スリットの深さ寸法であり、
前記スリットの深さ寸法が前記スリットの幅寸法より大である
ことを特徴とする請求項１又は請求項２記載の急須。
【請求項４】
堰を本体に対して着脱自在な構成とする
ことを特徴とする請求項１又は請求項３記載の急須。
【請求項５】
茶葉及び液体を受け入れ、飲み口を有する本体と、
前記飲み口を横断するように設けられた堰と、
この堰の長手方向に沿って垂直方向に設けられた複数のスリットと、
を備えていることを特徴とする容器。
【請求項６】
飲み口は、本体の底部より高い位置にあり、
堰の下部は、前記飲み口より低い位置まであり、
スリットの上端は、外部に連通するように開放され、
前記スリットの下端は、前記飲み口より低い位置まである
ことを特徴とする請求項５記載の容器。
【請求項７】
スリットの堰の背面から前面に至る寸法は前記スリットの深さ寸法であり、
前記スリットの深さ寸法が前記スリットの幅寸法より大である
ことを特徴とする請求項５又は請求項６記載の容器。
【請求項８】
堰を本体に対して着脱自在な構成とする
ことを特徴とする請求項５又は請求項７記載の容器。
【発明の詳細な説明】
【技術分野】
【０００１】
本発明は、急須及び容器に係り、特に、茶葉の詰まりを防いで抽出し易い急須及び容器に関する。
【背景技術】
【０００２】
従来、茶漉しを有した急須がある（例えば、特許文献１記載のもの）。
この急須の茶漉しは、急須の開口部の全体を覆うように設けられている。
【先行技術文献】
【特許文献】
【０００３】
【特許文献１】特開２０１４−３９６５５号公報
【発明の概要】
【発明が解決しようとする課題】
【０００４】
しかしながら、上記急須にあっては、急須を傾けて抽出すると、茶葉が注ぎ口に近い茶漉しの部位に集中し茶葉が詰まり、抽出しづらいという問題点があった。
【０００５】
本発明は、上記実情を考慮してなされたもので、茶葉の詰まりを防いで抽出し易い急須及び容器を提供することを目的とする。
【課題を解決するための手段】
【０００６】
請求項１記載の急須は、茶葉及び液体を受け入れ、外部へ液体を注ぐための注ぎ口を有する本体と、前記注ぎ口を横断するように設けられた堰と、この堰の長手方向に沿って垂直方向に設けられた複数のスリットと、を備えているものである。
【０００７】
また、請求項２記載の急須は、請求項１記載の急須において、注ぎ口は、本体の底部より高い位置にあり、堰の下部は、前記注ぎ口より低い位置まであり、スリットの上端は、外部に連通するように開放され、前記スリットの下端は、前記注ぎ口より低い位置まである。
【０００８】
また、請求項３記載の急須は、請求項１又は請求項２記載の急須において、スリットの堰の背面から前面に至る寸法は前記スリットの深さ寸法であり、前記スリットの深さ寸法が前記スリットの幅寸法より大である。
【０００９】
また、請求項４記載の急須は、請求項１又は請求項３記載の急須において、堰を本体に対して着脱自在な構成とするものである。
【００１０】
また、請求項５記載の容器は、茶葉及び液体を受け入れ、飲み口を有する本体と、前記飲み口を横断するように設けられた堰と、この堰の長手方向に沿って垂直方向に設けられた複数のスリットと、を備えているものである。
【００１１】
また、請求項６記載の容器は、請求項５記載の容器において、飲み口は、本体の底部より高い位置にあり、堰の下部は、前記飲み口より低い位置まであり、スリットの上端は、外部に連通するように開放され、前記スリットの下端は、前記飲み口より低い位置まである。
【００１２】
また、請求項７記載の容器は、請求項５又は請求項６記載の容器において、記載の容器において、スリットの堰の背面から前面に至る寸法は前記スリットの深さ寸法であり、前記スリットの深さ寸法が前記スリットの幅寸法より大である。
【００１３】
また、請求項８記載の容器は、請求項５又は請求項７記載の容器において、堰を本体に対して着脱自在な構成とするものである。
【発明の効果】
【００１４】
請求項１記載の急須によれば、注ぎ口を横断するように設けられた堰の長手方向に沿って複数のスリットを垂直方向に設けたため、茶葉が堰に止まり、スリットの垂直方向に長い開口部により、茶葉の詰まりを防いで抽出し易い急須を得ることができる。
【００１５】
また、請求項２記載の急須によれば、上述した請求項１記載の発明の効果に加え、スリットの上端は、外部に連通するように開放され、前記スリットの下端は、注ぎ口より低い位置まであるため、スリットを垂直方向により長い開口部となり、開口面積の拡大を図って、より抽出し易い急須を得ることができる。
【００１６】
また、請求項３記載の急須によれば、上述した請求項１又は請求項２記載の発明の効果に加え、スリットの堰の背面から前面に至る寸法は前記スリットの深さ寸法であり、前記スリットの深さ寸法が前記スリットの幅寸法より大であるため、茶葉がスリットの一部表面を塞いでも、塞いだ茶葉を乗り越えた茶成分を含んだ液体は、塞いだ茶葉の裏面側のスリットにも流出し、流出し易い効果を有する。
【００１７】
また、請求項５記載の容器によれば、飲み口を横断するように設けられた堰の長手方向に沿って複数のスリットを垂直方向に設けたため、茶葉が堰に止まり、スリットの垂直方向に長い開口部により、茶葉の詰まりを防いで抽出し易い容器を得ることができる。
【００１８】
また、請求項６記載の容器によれば、上述した請求項５記載の発明の効果に加え、スリットの上端は、外部に連通するように開放され、前記スリットの下端は、飲み口より低い位置まであるため、スリットを垂直方向により長い開口部となり、開口面積の拡大を図って、より抽出し易い容器を得ることができる。
【００１９】
また、請求項７記載の容器によれば、上述した請求項５又は請求項６記載の発明の効果に加え、スリットの堰の背面から前面に至る寸法は前記スリットの深さ寸法であり、前記スリットの深さ寸法が前記スリットの幅寸法より大であるため、茶葉がスリットの一部表面を塞いでも、塞いだ茶葉を乗り越えた茶成分を含んだ液体は、塞いだ茶葉の裏面側のスリットにも流出し、流出し易い効果を有する。
【図面の簡単な説明】
【００２０】
【図１】図１は、本発明の一実施例の急須の概略的平面図である。
【図２】図２は、図１の概略的断面図である。
【図３】図３は、本発明の一実施例の容器の概略的斜視図である。
【図４】図４は、図３の概略的平面図である。
【図５】図５は、図３の概略的断面図である。
【図６】図６は、図３の容器と異なる他の実施例の容器の概略的断面図である。
【図７】図７（ａ）は、図６の容器と異なる他の実施例の容器の概略的平面図であり、図７（ｂ）は、図７（ａ）の容器と異なる他の実施例の容器の概略的平面図である。
【図８】図８は、図７（ｂ）の容器と異なる他の実施例の容器の概略的平面図である。
【図９】図９（ａ）〜（ｃ）は、図４〜図１０の堰の概略的正面図である。
【図１０】図１０は、図１の急須と異なる他の実施例の急須の概略的斜視図である。
【発明を実施するための形態】
【００２１】
本発明の一実施例の急須を図面（図１及び図２）を参照して説明する。
図１に示すＫは急須で、急須Ｋは、茶葉及び液体を受け入れ、外部へ液体を注ぐための注ぎ口１１を有する本体１を有している。注ぎ口１１は、本体１の底部１２より高い位置にある。
【００２２】
また、図１に示す２は、注ぎ口１１を横断するように設けられた堰で、この堰２には、堰２の長手方向に沿って垂直方向に設けられた複数のスリット２１が設けられている。
堰２の下部は、注ぎ口１１より低い位置まであり、また、スリット２１の上端は、外部に連通するように開放され、スリット２１の下端は、注ぎ口１１より低い位置まである。
また、スリット２１の堰２の背面から前面に至る寸法はスリット２１の深さ寸法Ｄであり、スリット２１の深さ寸法Ｄがスリット２１の幅寸法Ｗより大（Ｄ＞Ｗ）となっている（図１参照）。
その結果、茶葉がスリット２１の一部表面を塞いでも、塞いだ茶葉を乗り越えた茶成分を含んだ液体は、塞いだ茶葉の裏面側のスリット２１にも流出し、流出し易い効果を有する。
【００２３】
従って、上述した急須Ｋによれば、注ぎ口１１を横断するように設けられた堰２の長手方向に沿って複数のスリット２１を垂直方向に設けたため、茶葉が堰２に止まりスリット２１の垂直方向に長い開口部により、茶葉の詰まりを防いで抽出し易い急須Ｋを得ることができる。
また、スリット２１の上端は、外部に連通するように開放され、スリット２１の下端は、注ぎ口１１より低い位置まであるため、スリット２１を垂直方向により長い開口部となり、開口面積の拡大を図って、より抽出し易い急須Ｋを得ることができる。
【００２４】
上述した実施例は、急須Ｋであったが、本願発明はこれに限らず、図３乃至図５に示す容器Ｃにも適用することができる。
図３に示すＣは容器で、容器Ｃは、茶葉及び液体を受け入れ、飲み口１１’を有する本体１’を有している。飲み口１１’は、本体１’の底部１２’より高い位置にある。
【００２５】
また、図３に示す２’は、飲み口１１’を横断するように設けられた堰で、この堰２’には、堰２’の長手方向に沿って垂直方向に設けられた複数のスリット２１’が設けられている。
堰２’の下部は、飲み口１１’より低い位置まであり、また、スリット２１’の上端は、外部に連通するように開放され、スリット２１’の下端は、飲み口１１’より低い位置まである。
また、スリット２１’の堰２の背面から前面に至る寸法はスリット２１’の深さ寸法Ｄであり、スリット２１’の深さ寸法Ｄがスリット２１’の幅寸法Ｗより大（Ｄ＞Ｗ）となっている（図３参照）。
その結果、茶葉がスリット２１’の一部表面を塞いでも、塞いだ茶葉を乗り越えた茶成分を含んだ液体は、塞いだ茶葉の裏面側のスリット２１’にも流出し、流出し易い効果を有する。
【００２６】
従って、上述した容器Ｃによれば、飲み口１１’を横断するように設けられた堰２’の長手方向に沿って複数のスリット２１’を垂直方向に設けたため、茶葉が堰２’に止まり、スリット２１’の垂直方向に長い開口部により、茶葉の詰まりを防いで抽出し易い容器Ｃを得ることができる。
また、スリット２１’の上端は、外部に連通するように開放され、スリット２１’の下端は、飲み口１１’より低い位置まであるため、スリット２１’を垂直方向により長い開口部となり、開口面積の拡大を図って、より抽出し易い容器Ｃを得ることができる。
【００２７】
上述した実施例の堰２、堰２’は、本体１、本体１’と一体的に設けたが、堰２、堰２’を本体１、本体１’に対して着脱自在な構成としても良い。
即ち、図６に示すように、容器Ｃの本体１’に被係止部３’を設け、堰２’を本体１’に対して着脱自在としても良いし、
また、図７（ａ）に示すように、本体１’に被係止部３’を設け、堰２’自身にバネ性を持たせて、本体１’に対して着脱自在としても良いし、
また、図７（ｂ）に示すように、本体１’に被係止部３’（例えば、凹部）を設け、被係止部３’に堰２’の両端部を係止させ、堰２’を本体１’に対して着脱自在としても良いし、
また、図８に示すように、本体１’に被係止部３’（例えば、凸部）を設け、被係止部３’に堰２’の両端部（例えば、凹部）を係止させ、堰２’を本体１’に対して着脱自在としても良い。
そして、容器Ｃの堰２’の複数のスリット２１’は、図９（ａ）に示すように、堰２’の長手方向に沿って垂直方向に設けられたものであり、スリット２１’の上端は、外部に連通するように開放されていても良く、また、図９（ｂ）に示すように、堰２’の長手方向に沿って垂直方向に設けられたものであり、スリット２１’の下端は、外部に連通するように開放されていても良く、また、図９（ｃ）に示すように、堰２’の長手方向に沿って垂直方向に設けられたものであり、スリット２１’の上端及び下端は、外部に連通しないように閉塞し、下端に開放したスリット２１’と上端に開放したスリット２１’とを互い違いに構成するようにしても良い。
また、図６乃至図９記載の実施例は、容器Ｃであったが、本願発明はこれに限らず、例えば、図１０記載の急須Ｋにも、堰２を本体１に対して着脱自在な構成としても良いことは勿論のことである。
【符号の説明】
【００２８】
Ｋ      急須
１      本体
２      堰
１１    注ぎ口
２１    スリット
【図１】
2017006412.tif 000003
【図２】
2017006412.tif 000004
【図３】
2017006412.tif 000005
【図４】
2017006412.tif 000006
【図５】
2017006412.tif 000007
【図６】
2017006412.tif 000008
【図７】
2017006412.tif 000009
【図８】
2017006412.tif 000010
【図９】
2017006412.tif 000011
【図１０】
2017006412.tif 000012